(57)【特許請求の範囲】
【請求項１】
給水路より供給される水をバーナの燃焼により加熱し潜熱回収用熱交換器および給湯用熱交換器を介して出湯路に供給するとともに、給湯循環ポンプを介して再度前記給湯用熱交換器に戻して給湯循環回路を形成し、暖房や浴室乾燥等を行う暖房装置を有する暖房回路に熱量を供給する暖房用熱交換器と、風呂の追い焚きを行う風呂回路に熱量を供給する風呂用熱交換器を設け、給湯または暖房または風呂追い焚きの単独利用、あるいは給湯と暖房と風呂追い焚きのうち少なくとも２つの同時利用を選択できるようにするとともに、前記暖房用熱交換器または風呂用熱交換器を経由した給湯循環回路から分岐してカランまたは風呂注湯用の給湯回路を形成し、前記暖房用熱交換器または風呂用熱交換器を経由した後の給湯回路に分岐するまでの給湯循環回路に流量センサを設けた給湯装置であって、
風呂用熱交換器への温水供給の切替を可能とする、前記給湯循環回路の風呂用熱交換器の開閉弁と、前記風呂用熱交換器側に前記給湯循環回路とは別に、給湯装置から浴槽まで配管させる風呂往き配管と浴槽より給湯装置までの風呂戻り配管と、風呂戻り配管側に風呂循環ポンプと、浴槽内の湯・水があるかどうかを検出するフローＳＷと、前記フローＳＷがオンして浴槽内に湯・水があるかどうかを判定する浴槽残湯判定手段と、前期浴槽残湯判定手段により浴槽内の湯・水があると判断した場合にのみ前記給湯循環回路の風呂用熱交換器の前記開閉弁を開させる風呂熱交換器開閉浴槽残湯時判定手段と、を備えた給湯装置。
【請求項２】
前記出湯路と前記風呂熱交換器の風呂回路の間に浴槽への注湯を行なう注湯電磁弁を設け、浴槽への注湯時には、前記給湯循環回路の風呂用熱交換器の開閉弁を閉じさせる風呂熱交換器開閉注湯時判定手段を設けた請求項１記載の給湯装置。
【請求項３】
前記風呂戻り配管側に浴槽内の水位を検出する水位センサを設け、浴槽の水位検出時には、前記給湯循環回路の風呂用熱交換器の開閉弁を閉じさせる風呂熱交換器開閉浴槽水位検出時判定手段を設けた請求項２記載の給湯装置。
【請求項４】
前記利用熱交換器として暖房用熱交換器と風呂熱交換器を同時に使用する際には、前記給湯循環回路の給湯循環ポンプの出力に応じて、前記風呂用熱交換器の開閉弁の制御を行う風呂熱交換器開閉弁循環ポンプ判定手段を設けた請求項１又は２記載の給湯装置。
【請求項５】
給水路より供給される水をバーナの燃焼により加熱温度を検出する熱交温度検出手段を前記給湯循環回路に設け、前記給湯循環回路の熱交温度に応じて風呂用熱交換器の開閉弁の制御を、行う風呂熱交換器開閉弁熱交温度判定手段を設けた請求項１又は２記載の給湯装置。
【発明の詳細な説明】
【技術分野】
【０００１】
本発明は、バーナの燃焼熱により加熱する給湯用熱交換器を介して供給される湯水を循環させて複数の負荷側に熱量を供給する１缶多水路の給湯装置に関するものである。
【背景技術】
【０００２】
従来この種の燃焼装置としては、特許文献１のように、給水路を通して供給される水をバーナの燃焼により加熱して給湯路に給湯する給湯用熱交換器と、入路を通して供給される加熱対象流体を前記バーナの燃焼により加熱して出路に流出する流体用熱交換器とが設けられている給湯装置であって、前記給湯用熱交換器が前記バーナの燃焼排ガスの顕熱を回収する給湯用顕熱熱交換部と、その給湯用顕熱熱交換部よりも前記バーナの燃焼排ガスの流動方向の下流側に配置され、前記バーナの燃焼排ガスの潜熱を回収する給湯用潜熱熱交換部とを備えて構成され、前記流体用熱交換器が、前記バーナの燃焼排ガスの顕熱を回収する流体用顕熱熱交換部と、その流体用顕熱熱交換部よりも前記バーナの燃焼排ガスの流動方向の下流側に配置され、前記バーナの燃焼排ガスの潜熱を回収する流体用潜熱熱交換部とを備えて構成され、前記給湯用顕熱熱交換部と流体用顕熱熱交換部とが、互いに熱伝導する状態で一体的に形成され、かつ、前記給湯用潜熱熱交換部と流体用潜熱熱交換部とが互いに熱伝導する状態で一体的に形成された給湯装置が開示されている（例えば、特許文献１参照）。
【特許文献１】特開２００２−２６７２６２号公報
【発明の開示】
【発明が解決しようとする課題】
【０００３】
しかしながら、前記従来の給湯装置は、バーナで加熱される経路として、給湯用と流体用の２つの経路を形成しているため、配管構成が複雑になるとともに、バーナの燃焼ガスの流出経路中に給湯用熱交換器と流体用熱交換器をそれぞれ配置し、前記給湯用熱交換器に給湯用顕熱熱交換部と給湯用潜熱熱交換部を設け、前記流体用熱交換器に流体用顕熱熱交換部と流体用潜熱熱交換部を設けた構成としているため、顕熱熱交換部と潜熱熱交換部にそれぞれ給湯用熱交換器と流体用熱交換器を一体的に形成する必要があり、給湯用熱交換器及び流体用熱交換器として極めて複雑な構成を強いられるものであった。特に、潜熱熱交換部の構成として、耐食性を高めるためにステンレスパイプと銅管を用いた２重管構造とする場合などはその加工性に課題を有するものであった。
【０００４】
また、バーナで加熱された湯水を循環し、その循環水を利用して複数の利用回路に熱量を供給するような構成において、流体用顕熱熱交換部を暖房用熱交換器、風呂追いだき用流体熱交換器のように複数設けると暖房単独運転時にも風呂用熱交換器側にも給湯用熱交換器で加熱した流体を供給してしまい、暖房能力が十分に得られないという課題を有するものであった。
【０００５】
本発明は前記従来の課題を解決するもので、給湯用熱交換器と潜熱回収用熱交換器で１つの加熱経路を形成し、前記加熱経路の循環水を利用して暖房回路や風呂回路に熱量を供給する構成とすることで、前記給湯用熱交換器や潜熱回収用熱交換器に関連しない利用側熱交換器の構成を可能とし、配管構成を含む本体構成の簡素化により器具の小型化、軽量化を実現するとともに、前記加熱経路を給湯回路を主体とすることで給湯性能を優先した使い勝手のよい給湯装置を提供する。また、利用側熱交換器に暖房熱交換器と風呂熱交換器の構成とした場合にでも暖房の能力の向上を図った給湯装置を提供することを目的とする。
【課題を解決するための手段】
【０００６】
前記従来の課題を解決するために、本発明の給湯装置は、給水路より供給される水をバーナの燃焼により加熱し潜熱回収用熱交換器および給湯用熱交換器を介して出湯路に供給するとともに、給湯循環ポンプを介して再度前記給湯用熱交換器に戻して給湯循環回路を形成し、暖房や浴室乾燥等を行う暖房装置を有する暖房回路に熱量を供給する暖房用熱交換器と、風呂の追い焚きを行う風呂回路に熱量を供給する風呂用熱交換器を設け、給湯または暖房または風呂追い焚きの単独利用、あるいは給湯と暖房と風呂追い焚きのうち少なくとも２つの同時利用を選択できるようにするとともに、前記暖房用熱交換器または風呂用熱交換器を経由した給湯循環回路から分岐してカランまたは風呂注湯用の給湯回路を形成し、前記暖房用熱交換器または風呂用熱交換器を経由した後の給湯回路に分岐するまでの給湯循環回路に流量センサを設けた給湯装置であって、風呂用熱交換器への温水供給の切替を可能とする、前記給湯循環回路の風呂用熱交換器の開閉弁と、前記風呂用熱交換器側に前記給湯循環回路とは別に、給湯装置から浴槽まで配管させる風呂往き配管と浴槽より給湯装置までの風呂戻り配管と、風呂戻り配管側に風呂循環ポンプと、浴槽内の湯・水があるかどうかを検出するフローＳＷと、前記フローＳＷがオンして浴槽内に湯・水があるかどうかを判定する浴槽残湯判定手段と、前期浴槽残湯判定手段により浴槽内の湯・水があると判断した場合にのみ前記給湯循環回路の風呂用熱交換器の前記開閉弁を開させる風呂熱交換器開閉浴槽残湯時判定手段と、を備えたものである。
【０００７】
これによって、給湯用熱交換器と潜熱回収用熱交換器で１つの加熱経路を形成し、前記加熱経路の循環水を利用して暖房回路や風呂回路に熱量を供給する構成としているため、前記給湯用熱交換器や潜熱回収用熱交換器に関連しない利用側熱交換器の構成を可能とし、配管構成を含む本体構成の簡素化により器具の小型化、軽量化を実現するとともに、前記加熱経路を給湯回路を主体とすることで給湯性能を優先した使い勝手のよい給湯装置を提供することができ、また、給湯回路を主体とする１つの加熱経路構成とするし、さらに風呂熱交換器側に開閉弁を設けることで、暖房単独運転時における暖房能力の向上を図るとともに風呂側の安全性の向上を図った給湯装置を提供することができる。
【発明の効果】
【０００８】
本発明の給湯装置は、給湯用熱交換器と潜熱回収用熱交換器で１つの加熱経路を形成し、前記加熱経路内に流量信号が存在するときのみ、前記加熱経路の循環水を利用して暖房回路や風呂回路に熱量を供給する構成とすることで、前記給湯用熱交換器や潜熱回収用熱交換器に関連しない利用側熱交換器の構成を可能とし、配管構成を含む本体構成の簡素化により器具の小型化、軽量化を実現するとともに、前記加熱経路を給湯回路を主体とすることで給湯性能を優先した使い勝手のよい給湯装置を提供することができ、かつ、風呂熱交換器側に開閉弁を設けることで、暖房単独運転時における暖房能力の向上と安全性の向上を図った給湯装置を提供することができる。
【発明を実施するための最良の形態】
【０００９】
第１の発明は、給水路より供給される水をバーナの燃焼により加熱し潜熱回収用熱交換器および給湯用熱交換器を介して出湯路に供給するとともに、給湯循環ポンプを介して再度前記給湯用熱交換器に戻して給湯循環回路を形成し、前記給湯循環回路には利用側熱交換器を配設して負荷側に熱量を供給する回路を形成するとともに、前記利用側熱交換器を経由した給湯循環回路から分岐してカランまたは風呂注湯用の給湯回路を形成した１缶多水路の給湯装置であって、風呂用熱交換器への温水供給の切替を可能とする、前記給湯循環回路の風呂用熱交換器の開閉弁と、前記風呂用熱交換器側に前記給湯循環回路とは別に、給湯装置から浴槽まで配管させる風呂往き配管と浴槽より給湯装置までの風呂戻り配管と、風呂戻り配管側に風呂循環ポンプと、浴槽内の湯・水があるかどうかを検出するフローＳＷと、前記フローＳＷがオンして浴槽内に湯・水があるかどうかを判定する浴槽残湯判定手段と、前期浴槽残湯判定手段により浴槽内の湯・水があると判断した場合にのみ前記給湯循環回路の風呂用熱交換器の前記開閉弁を開させる風呂熱交換器開閉浴槽残湯時判定手段と、を備えたものである。
【００１０】
そして、給湯用熱交換器と潜熱回収用熱交換器で１つの加熱経路を形成し、前記加熱経路の循環水を利用して暖房回路や風呂回路に熱量を供給する構成としているため、前記給湯用熱交換器や潜熱回収用熱交換器に関連しない利用側熱交換器の構成を可能とし、配管構成を含む本体構成の簡素化により器具の小型化、軽量化を実現するとともに、前記加熱経路を給湯回路を主体とすることで給湯性能を優先した使い勝手のよい給湯装置を提供することができ、また、風呂熱交換器側に開閉弁を設けることで暖房単独運転時における暖房能力の向上と安全性の向上を図った給湯装置を提供することができる。
【００１１】
また、浴槽内の残湯がない場合には、風呂熱交換器開閉弁は閉じることで、浴槽内の残湯がない場合や浴槽の循環回路に詰まり等により十分な循環流量がない場合には、浴槽側を空焚きすることなく安全性の向上を図ことができる。
【００１２】
第２の発明は、前記出湯路と前記風呂熱交換器の風呂回路の間に浴槽への注湯を行なう注湯電磁弁を設け、浴槽への注湯時には、前記給湯循環回路の風呂用熱交換器の開閉弁を閉じさせる風呂熱交換器開閉注湯時判定手段を設けた給湯装置に限定したものであり、浴槽への注湯中の湯が風呂熱交換器により再加熱されない構成とすることで、注湯時の湯温制御を簡素化することができる。
【００１３】
第３の発明は、前記風呂戻り配管側に浴槽内の水位を検出する水位センサを設け、浴槽の水位検出時には、前記給湯循環回路の風呂用熱交換器の開閉弁を閉じさせる風呂熱交換器開閉浴槽水位検出時判定手段を設けた給湯装置に限定したものであり、利用側熱交換器として暖房運転された場合にでも、風呂熱交換器を加熱しないことで浴槽内の水位を検出する水位センサに影響を与えずに常時浴槽内の水位を正確に検出することができる。
【００１４】
第４の発明は、前記利用熱交換器として暖房用熱交換器と風呂熱交換器を同時に使用する際には、前記給湯循環回路の給湯循環ポンプの出力に応じて、前記風呂用熱交換器の開閉弁の制御を行う風呂熱交換器開閉弁循環ポンプ判定手段を設けた給湯装置とすることで、利用側熱交換器として暖房運転した場合において給湯循環ポンプの出力に応じて、暖房熱交換器側の負荷が多く必要な場合には、風呂熱交換器開閉弁をデューティ制御することで暖房能力の向上を図ることができる。
【００１５】
第５の発明は、給水路より供給される水をバーナの燃焼により加熱温度を検出する熱交温度検出手段を前記給湯循環回路に設け、前記給湯循環回路の熱交温度に応じて風呂用熱交換器の開閉弁の制御を行なう風呂熱交換器開閉弁熱交温度判定手段を設けた給湯装置であり、給湯循環回路内の温度が所定温度以上を検出しないと風呂熱交換器開閉弁を開けないことで、風呂熱交換器の効率を向上することができ、かつ追いだき運転と給湯栓６の使用が重なった場合でも給湯栓６の出湯温度特性を損なうことなく実現できる。
【００１６】
以下、本発明の実施の形態について、図面を参照しながら説明する。なお、本実施の形態によって本発明が限定されるものではない。
【００１７】
（実施の形態１）
以下、本発明の実施の形態について、図面を参照しながら説明する。なお、本実施の形態によって本発明が限定されるものではない。
【００１８】
（実施の形態１）
図１は、本発明の第１の実施の形態における給湯装置の構造図を示すものである。
【００１９】
図１において、まず給水路１より供給される水をバーナ２の燃焼により加熱し所定の温度に上昇した後、出湯路に供給し、利用側熱交換器である暖房用熱交換器１８の一次側経路を経由した後、循環ポンプ１７を介して再度給水路１に合流させて給湯循環回路１９を形成している。そして、暖房用熱交換器１８を経由した後の給湯循環回路１９から分岐させて給湯路３を形成し、この給湯路３と給水路１を連通して形成したバイパス通路４から
給水路１より供給される水の一部をバイパス制御弁５を介して供給することで所望の湯水に調整し、給湯栓６より出湯する給湯回路を構成している。
【００２０】
ここで、バーナ２はガス元電磁弁７、ガス比例弁８、ガス切替弁９が配設されたガス供給路１０より燃料が供給され、燃焼用ファン１１より燃焼用空気が供給されて、予め定められたシーケンスに従い燃焼動作が行われる。そして、バーナ２の燃焼により発生する燃焼ガスは燃焼室１２を通って排気通路１３を経由し排気口１４から器具外に排出される。
【００２１】
この燃焼ガスの排気経路に燃焼ガスの顕熱を回収する給湯用熱交換器１５と燃焼排ガスの潜熱を回収する潜熱回収用熱交換器１６を配設している。具体的には、バーナ２の下流側燃焼室１２に給湯用熱交換器１５を設け、その下流側排気通路１３に潜熱回収用熱交換器１６を設け、前記給水路１より供給される水を、まず潜熱回収用熱交換器１６に供給し燃焼排ガス中の潜熱を回収したのち、給湯用熱交換器１５に供給しバーナ２の燃焼により所定の高温水に上昇させて出湯路３に供給する。このように従来の給湯用熱交換器１５による熱回収に加え、燃焼排ガスの潜熱を回収する潜熱回収用熱交換器１６を設けることで、総合的な熱効率を高め省エネを図るものである。
【００２２】
暖房回路２０は、暖房用熱交換器１８の２次側に放熱機２１等の負荷を接続して閉回路を形成し、暖房用循環ポンプ２２で循環させることにより、前記暖房用熱交換器１８で給湯循環回路１９より供給される高温水と熱交換して暖房熱量を確保するようにしている。
【００２３】
以上のように構成された燃焼装置について、以下その動作、作用を説明する。
【００２４】
まず、給湯運転時には、給湯栓６を開くと給水路１に配設した給水側流量センサ２３が通水を検知し、この通水信号で燃焼用ファン１１が動作し同時にガス元電磁弁７、ガス比例弁８が開き、バーナ２に燃料と燃焼用空気が供給されて着火動作により燃焼が開始する。このバーナ２の燃焼開始により発生した燃焼ガスは燃焼室１２から排気通路１３を経由して排気口１４より排出される。この燃焼ガスの排気動作の過程において燃焼室１２に配設した給湯用熱交換器１５と排気通路１３に配設した潜熱回収用熱交換器１６で給水路１より供給される水が加熱される。
【００２５】
給湯用熱交換器１５で加熱された湯水は、前記給湯用熱交換器１５と潜熱回収用熱交換器１６を迂回するように給水路１と給湯路３を連通して設けたバイパス通路４に配設したバイパス制御弁５により入水側の水と混合される。混合された湯は遠隔操作用リモコン２４で設定した給湯設定温度になるよう出湯サーミスター２５の信号によりバイパス制御弁５の開度を調整し、給湯接続口２６を経て給湯栓６より給湯される。
【００２６】
このように、給湯単独運転を選択する場合は、遠隔操作用リモコン２４で所望の温度を設定し給湯栓６を開くことで自動的に設定された湯温の湯水を確保することができる。
【００２７】
次に暖房運転時には、放熱機２１等の暖房端末装置に内蔵した制御器（図示せず）の運転指令で、暖房回路２０に設けた暖房用循環ポンプ２２が駆動し、この運転指令に連動して給湯循環回路１９の湯水を循環させる循環ポンプ１７が駆動し、同時にバーナ２の着火動作により燃焼が開始する。このバーナ２の燃焼開始により発生した燃焼ガスは燃焼室１２から排気通路１３を経由して排気口１４より排出される。この燃焼ガスの排気動作の過程において燃焼室１２に配設した給湯用熱交換器１５と排気通路１３に配設した潜熱回収用熱交換器１６で給水路１より供給される水が加熱される。
【００２８】
給湯用熱交換器１５で加熱された湯水は循環ポンプ１７により暖房用熱交換器１８の１次側経路を経由しながら給湯循環回路１９を循環し、水−水熱交換構成により熱交換され
暖房回路２０へ伝熱される。暖房用熱交換器１８で受熱した暖房回路２０の熱は、放熱機２１で温風として放熱される。そして、暖房用熱交換器１８で熱交換された高温水は潜熱回収用熱交換器１６の上流側給水路１に戻し、給湯循環回路１９を形成し、放熱機２１からの暖房運転指令が発せられている間、所定の湯温に維持して循環を継続する。
【００２９】
このように、利用側熱交換器である暖房用熱交換器１８を経由した後の給湯循環回路１９から給湯路３を分岐した構成とすることで、暖房運転に必要な高温水を確保しつつ、給湯回路に対して高温水から低温水まで幅広い範囲の湯水を調節して供給することが可能な給湯優先動作を確保することができる。
【００３０】
ここで、燃焼排ガスの潜熱を回収する潜熱回収用熱交換器１６は、排ガス経路に対して給湯用熱交換器１５の下流側に位置させ、給水経路に対して給湯用熱交換器１５の上流側に位置させて設けており、潜熱回収熱交換器１６で余熱された湯水を給湯用熱交換器１５で加熱するようにしている。これによりバーナ２の燃焼で発生した熱量を効率よく熱交換することができ省エネにつながる。
【００３１】
利用側熱交換器として、暖房や浴室乾燥等を行う放熱機２１を有する暖房回路に熱量を供給する暖房用熱交換器と、風呂の追い焚きを行う風呂回路に熱量を供給する風呂用熱交換器を用いた給湯装置に関するものである。暖房用熱交換器１８と風呂用熱交換器２７は給湯循環回路１９に並列に接続され、潜熱回収用熱交換器１６と給湯用熱交換器１５で加熱された高温水を循環ポンプ１７で循環させながら熱交換し、暖房回路２０または風呂回路２８に熱量を供給する。
【００３２】
次にその動作、作用を説明すると、暖房運転時には、放熱機２１の運転指令で、暖房回路２０に設けた暖房ポンプ２２が駆動し、連動して給湯循環回路１９の温水を循環させるポンプ１７が駆動することによりバーナ２に着火し、燃焼された熱を回収する給湯用熱交換器１５で加熱された温水は暖房用熱交換器１８で熱交換され暖房回路２０へ伝熱される。暖房用熱交換器１８で受熱した暖房回路２０の熱は、放熱機２１で温風として放熱される。
【００３３】
また、風呂運転時には、遠隔操作用リモコン２４の運転指令で、風呂回路２８に設けた風呂用循環ポンプ２９が駆動し水流検知部３０にて循環が検知されると、連動して給湯循環回路１９の温水を循環させるポンプ１７が駆動することによりバーナ２に着火し、燃焼された熱を回収する給湯用熱交換器１５で加熱された温水は風呂用熱交換器２７で熱交換され風呂回路２８へ伝熱される。風呂用熱交換器２７で受熱した風呂回路２８の熱は、浴槽３１へ循環し追い焚き加熱される。
【００３４】
また、暖房と風呂同時運転時には、放熱機２１と遠隔操作用リモコン２４からの運転指令により、暖房回路２０と風呂回路２８のポンプ２２、２９が駆動しバーナ２の着火動作により燃焼が開始する。この燃焼により給湯循環回路１９の循環水は潜熱回収用熱交換器１６と給湯用熱交換器１５で加熱され所定の高温水の状態を維持しながら循環する。この高温の循環水は暖房用熱交換器１８と風呂用熱交換器２７に略同一の温度で供給され、暖房回路２０と風呂回路２８に伝熱される。
【００３５】
また、上記以外の組み合わせによる同時運転も可能であり、暖房用熱交換器１８と風呂用熱交換器２７とを給湯循環回路１９に並列に構成しているため、循環回路の通路抵抗を小さくすることができ、循環ポンプ１７の小型化・軽量化が可能となる。
【００３６】
このように、利用側熱交換器である暖房用熱交換器１８および風呂用熱交換器２７を経由した後の給湯循環回路１９から給湯路３を分岐した構成とすることで、利用側負荷の運
転に必要な高温水を確保しつつ、給湯回路に対して高温水から低温水まで幅広い範囲の湯水を調節して供給することが可能な給湯優先動作を確保でき、また、風呂熱交換器側に風呂開閉弁３４を設けることで、暖房単独運転時における暖房能力の向上と安全性の向上を図った給湯装置を提供することができる。
【００３７】
また、遠隔操作用リモコン２４の運転指令で、風呂回路２８に設けた風呂用循環ポンプ２９が駆動し、風呂熱交換器開閉浴槽残湯時判定手段が水流検知部３０にて循環が検知された場合に風呂開閉弁３４を設けるを設けることで、浴槽内の残湯がない場合には、風呂熱交換器開閉弁３４は閉じることで、浴槽３１の残湯がない場合や浴槽の循環回路に詰まり等により十分な循環流量がない場合には、浴槽３１を空焚きすることなく安全性の向上を図ることができる。
【００３８】
また、遠隔操作用リモコン２４の運転指令で、浴槽３１に湯張りを行う際には、注湯電磁弁３５を開け、給湯用熱交換器１５により加熱した湯を風呂回路２８を介して浴槽３１に湯張りを行う。この時、前記給湯用熱交換器１５により加熱した湯が風呂用熱交換器２７を通ってしまうことになり、風呂用熱交換器２７が加熱されると、浴槽３１に注湯される湯が給湯用熱交換器１５と風呂用熱交換器２７により２回加熱させることなり、温度制御が複雑になってしまう。そこで、注湯電磁弁３５を開け注湯する際には、風呂熱交換器開閉弁３４を閉じる風呂熱交換器開閉注湯時判定手段を設けることで、浴槽３１に注湯される湯が給湯用熱交換器１５と風呂用熱交換器２７により２回加熱させず、注湯時の湯温制御を簡素化することができる。
【００３９】
また、遠隔操作用リモコン２４の運転指令で、浴槽３１に湯張りを行う際には、注湯電磁弁３５を開け、遠隔操作用リモコン２４の設定水位まで湯張りしたかどうかを、前記風呂戻り配管側に浴槽内の水位を検出する水位センサ３６で浴槽３１内の水位を検出する。
【００４０】
また、浴槽保温モード中には、浴槽３１の水位を監視する必要がある。前期状態において、給湯栓６を使用した場合には、給湯用熱交換器が加熱され給湯循環回路も加熱されるので風呂用熱交換器２７も加熱されることとなる。風呂用熱交換器２７が加熱させると風呂回路２８も温度の影響を受け対流現象が発生する。対流現象が発生すると前記風呂戻り配管側に浴槽内の水位を検出する水位センサ３６が正確に浴槽３１の水位を検出できなくなってしまう。そこで、浴槽の水位検出時には、前記給湯循環回路の風呂用熱交換器３４の開閉弁を閉じさせる風呂熱交換器開閉浴槽水位検出時判定手段を設け、風呂熱交換器を加熱しないことで浴槽内の水位を検出する水位センサ３６に影響を与えずに常時浴槽３１内の水位を正確に検出することができる。また、本システムにおいて暖房運転時も同様の効果が得られる。
【００４１】
また、放熱機２１の操作による暖房運転と、遠隔操作用リモコン２４の運転指令による浴槽３１内の湯を沸きあげる追いだき運転が重なった場合で、暖房運転による負荷が必要な場合には、給湯用循環ポンプ１７の出力電圧を上げて給湯循環回路１９内の循環流量を増加させることで、風呂熱交換器開閉弁循環ポンプ判定手段により給湯用循環ポンプ１７の出力電圧を判定し、暖房負荷が多い時には、風呂熱交換器開閉弁３４をオン・オフ制御（デューティー制御）して風呂用熱交換器２７の出力を下げることで、追いだき運転を停止することなく、高負荷の暖房運転時には暖房側に必要な能力を与えることができる。
【００４２】
また、遠隔操作用リモコン２４の運転指令による浴槽３１内の湯を沸きあげる追いだき運転を行う場合に、給湯循環回路１９内の給湯用熱交換器１５の出口に熱交温度の検出を行う熱交温度検出手段３７を設け、給湯循環回路１９内の出力温度がある温度以上になった場合に、風呂熱交換器開閉弁熱交温度判定手段により風呂熱交換器開閉弁３４を開けることで風呂熱交換器の効率を向上することができ、かつ追いだき運転と給湯栓６の使用が
重なった場合でも給湯栓６側に湯温を低下させることなく安定した出湯温度を提供することができる。
【産業上の利用可能性】
【００４３】
以上のように、本発明にかかる給湯装置は、給湯循環回路を主回路として給湯と暖房、または給湯と風呂、または給湯と暖房と風呂を単一の循環路を熱源とし、循環路の湯水有無を確認した後、バーナの燃焼動作を制御することにより、空焼き運転を確実に防止することができ、風呂熱交換器側に開閉弁を設けることで、暖房単独運転時における暖房能力の向上を図ることができるとともに、器具の小型化・軽量化ができ、設置スペースの余裕確保、施工性の向上と、潜熱回収熱交換器を備えることにより、高効率化を実現しランニングコストの低減による省エネルギー化を図ることが可能となるため、ガス、石油の給湯風呂装置、給湯暖房機等の用途にも適用できる。
【図面の簡単な説明】
【００４４】
【図１】本発明の実施の形態１における給湯装置の構造図
【符号の説明】
【００４５】
１    給水路
２    バーナ（加熱手段）
３    給湯路
１３  排気通路（排熱経路）
１５  給湯用熱交換器
１６  潜熱回収用熱交換器
１７  給湯用循環ポンプ
１８  暖房用熱交換器（利用側熱交換器）
１９  給湯循環回路
２０  暖房回路
２１  放熱機
２２  暖房用循環ポンプ
２３  水側流量センサ
２７  風呂用熱交換器（利用側熱交換器）
２８  風呂回路
２９  風呂用循環ポンプ
３１  浴槽
３３  給湯流量センサ
３４  風呂開閉弁
３５  注湯電磁弁
３６  水位センサ
３７  給湯循環ポンプ
【図１】
0004784266.tif 000002